(57)【要約】複数のクロックを発生するクロック発生手段（３１Ａ〜３１Ｄ、３０）と、送信すべき複数種類の伝送信号を入力し、前記複数のクロックのそれぞれに基づいて規定される送信チャネル群のうちの使用する送信チャネルに対応付けられた前記複数種の伝送信号のそれぞれを含む複数のデータ信号を生成するデータ信号生成手段（２０４、２０３）と、前記複数のデータ信号を多重化して送信信号を生成する多重化手段（２０１）と、前記送信信号を無線送出する信号送信手段（１１）とを有する構成となる。これにより、より簡単な構成にて情報の伝送効率を更に向上させることのできる無線通信装置及び方法を提供することができる。
2004068755.tif 000002
【特許請求の範囲】
【請求項１】
複数のクロックを発生するクロック発生手段と、
送信すべき複数の伝送信号を入力し、前記複数のクロックのそれぞれに基づいて規定される送信チャネル群の中から使用する送信チャネルをそれぞれ設定し、これら設定した送信チャネルに対応付けられた各前記伝送信号のそれぞれを含む複数のデータ信号を生成するデータ信号生成手段と、
このデータ信号生成手段にて生成された複数のデータ信号を多重化して送信信号を生成する多重化手段と、
この多重化手段にて得られた送信信号を無線送出する信号送信手段とを有する
ことを特徴とする無線通信装置。
【請求項２】
前記クロック発生手段は、複数のクロックを個別に発生する複数のクロック発振器を有する
ことを特徴とする請求項１記載の無線通信装置。
【請求項３】
取り込まれた映像にもとづく映像信号を出力する映像受入手段と、
前記映像信号を分割する映像分割手段とを有し、
前記データ信号生成手段が、前記分割された映像信号を映像データとして入力し、前記複数のクロックのそれぞれに基づいて規定される送信チャネル群の中から使用する送信チャネルをそれぞれ設定し、これら設定した送信チャネルに対応付けられた各前記映像データのそれぞれを含む複数のデータ信号を生成する
ことを特徴とする請求項２記載の無線通信装置。
【請求項４】
複数のクロックを発生するクロック発生手段と、
無線送信されてきた信号を受信し、受信信号を出力する信号受信手段と、
前記受信信号から複数のデータ信号を分離する信号分離手段と、
前記信号分離手段にて得られた複数のデータ信号のそれぞれに対して、前記複数のクロックのそれぞれにより規定される受信チャネル群のうちの使用する受信チャネルを対応付けるチャネル対応付け手段と、
前記複数のクロックに基づいて、前記使用する受信チャネルに対応付けられたデータ信号から伝送信号を分離する伝送信号抽出手段とを有する
ことを特徴とする無線通信装置。
【請求項５】
前記伝送信号抽出手段にて得られた前記伝送信号から映像データを生成する映像生成手段と、
複数の前記映像データを合成して映像信号を得る映像合成手段とを有する
ことを特徴とする請求項４記載の無線通信装置。
【請求項６】
複数のクロックを発生するクロック発生手段と、
送信すべき複数の伝送信号を入力し、前記複数のクロックのそれぞれに基づいて規定される送信チャネル群の中から使用する送信チャネルをそれぞれ設定し、これら設定した送信チャネルに対応付けられた各前記伝送信号のそれぞれを含む複数のデータ信号を生成するデータ信号生成手段と、
このデータ信号生成手段にて生成された複数のデータ信号を多重化して送信信号を生成する多重化手段と、
この多重化手段にて得られた送信信号を無線送出する信号送信手段と、
無線送信されてきた信号を受信し、受信信号を出力する信号受信手段と、
前記受信信号から複数のデータ信号を分離する信号分離手段と、
この信号分離手段にて得られた複数のデータ信号のそれぞれに対して、前記複数のクロックのそれぞれにより規定される受信チャネル群のうちの使用する受信チャネルを対応付けるチャネル対応付け手段と、
前記複数のクロックに基づいて、前記使用する受信チャネルに対応付けられたデータ信号から伝送信号を分離する伝送信号抽出手段とを有する
ことを特徴とする無線通信装置。
【請求項７】
映像を取り込んで映像信号を出力する映像受入手段と、
前記映像信号を分割する映像分割手段とを有し、
前記データ信号生成手段が、前記分割された映像信号を映像データとして入力し、前記複数のクロックのそれぞれに基づいて規定される送信チャネル群の中から使用する送信チャネルをそれぞれ設定し、これら設定した送信チャネルに対応付けられた各前記映像データのそれぞれを含む複数のデータ信号を生成し、
前記無線通信装置が、前記伝送信号抽出手段にて得られた前記伝送信号から映像データを生成する映像生成手段と、
複数の前記映像データを合成して映像信号を得る映像合成手段とを有する
ことを特徴とする請求項６記載の無線通信装置。
【請求項８】
複数のクロック発生手段で発生した各クロックに基づいて規定される送信チャネル群の中から使用する送信チャネルをそれぞれ設定し、
前記設定した送信チャネルに対応付けられた各伝送信号のそれぞれを含む複数のデータ信号を生成し、
前記複数のデータ信号を多重化して送信信号を生成し、
前記送信信号を無線送出する
ことを特徴とする無線通信方法。
【請求項９】
取り込まれた映像にもとづく映像信号を出力し、
前記映像信号を分割し、
前記分割された映像信号を映像データとして入力し、前記複数のクロック発生手段で発生した各クロックに基づいて規定される送信チャネル群の中から使用する送信チャネルを設定し、
前記設定した送信チャネルに対応付けられた各前記映像データのそれぞれを含む複数のデータ信号を生成する
ことを特徴とする請求項８記載の無線通信方法。
【請求項１０】
無線送信されてきた信号を受信して受信信号を生成し、
前記受信信号から複数のデータ信号を分離し、
前記複数のデータ信号のそれぞれに対して、前記複数のクロックのそれぞれにより規定される受信チャネル群のうちの使用する受信チャネルを対応付け、
前記複数のクロックに基づいて、前記使用する受信チャネルに対応付けられたデータ信号から伝送信号を分離する
ことを特徴とする無線通信方法。
【請求項１１】
前記伝送信号抽出手段にて得られた前記伝送信号から映像データを生成し、
複数の前記映像データを合成して映像信号を得る
ことを特徴とする請求項１０記載の無線通信方法。
【発明の詳細な説明】
【技術分野】  本発明は、携帯電話通信システム等に用いられる無線通信装置に係り、詳しくは、多チャネルでの無線通信を行なう無線通信装置及び無線通信方法に関する。
【背景技術】  従来の携帯電話システムは、第８図に示すように、携帯端末（携帯電話機）１００と、基地局２００とを有して構成される。
ここで、携帯端末１００は、一般に、送信部１１、受信部１２、混合器１３、アンテナ１４、通信制御部１５、水晶発振器１６、クロック制御部１７、データ制御部２２、操作・表示部２３、スピーカ２４及びマイクロフォン２５等を有している。
このような携帯端末１００において、例えば、マイクロフォン２５から出力されるユーザの発声音に対応した音声信号は、データ制御部２２に供給され、所定の形式の音声データに変換される。この音声データは、通信制御部１５にて所定のチャネルの伝送信号に変換され、その伝送信号が送信部１１に供給される。送信部１１は、通信制御部１５からの伝送信号に基づいて前記チャネルに対応した周波数の搬送波（例えば、８００ＭＨｚ帯）の変調を行なって送信信号を生成する。そして、その送信信号が混合器１３を通してアンテナ１４から放射される。
このように携帯端末１００から放射された送信信号は、基地局２００にて受信されると、復調処理がなされ、前記チャネルに対応した周波数の搬送波成分から伝送信号（音声信号）が分離される。そして、その伝送信号が基地局２００から所定の通信網（移動通信網、固定電話網等）を介して相手先の端末（携帯端末、固定電話機等）に送られる。
一方、基地局２００は、前記相手先の端末から所定の通信網を介して信号（音声信号）を取得すると、その信号に基づいて所定のチャネルに対応した搬送波（携帯端末が利用する周波数帯域から所定周波数幅だけ離れている帯域）を変調して送信信号を生成する。そして、その送信信号が基地局２００のアンテナから放射される。
このように基地局２００から放射された送信信号が携帯端末のアンテナ１４にて受信され、混合器１３を介して受信部１２に受信信号として供給される。受信部１２は、その受信信号を通信制御部１５に送る。通信制御部１５は、受信信号から基地局２００で使用したチャネルを検出し、そのチャネルに対応した周波数の搬送波成分から伝送信号（音声信号）を分離する。その伝送信号がデータ制御部２２に供給され、データ制御部２２は、供給された伝送信号から音声信号を生成し、その音声信号に基づいてスピーカ２４を駆動する。その結果、スピーカ２４から前記音声信号に対応した音声出力がなされる。
以上のような手順に従って処理がなされることにより、携帯端末と相手先の端末との間で音声通話が可能となる。
また、携帯端末１００においては、水晶発振器１６からの出力クロックがクロック制御部１７を介して通信制御部１５に供給されており、通信制御部１５は、供給されるクロックに基づいて規定される所定周波数間隔のチャネルのいずれかを使用すべきチャネルとして設定する。即ち、第９図に示すように、受信波については、先頭の周波数（例えば、８００ＭＨｚ）から所定周波数間隔となる受信チャネル群ＣＨＲＸから実際に使用されるべき単一の受信チャネルが設定される。また、送信波については、受信波の最終周波数から所定周波数幅（例えば、１３０ＭＨｚ）離れた周波数から前記所定周波数間隔となる送信チャネル群ＣＨＴＸから実際に使用されるべき単一の送信チャネルが設定される。
また、単一のチャネル（同一の周波数）にて２つのデータ列の送受信を行なう無線通信装置が提案されている。なお、このような技術は、日本国特開平１１−１３６２０６号公報（特許文献１）に記載されている。
この従来の無線通信装置では、第一の入力信号を位相変調して位相変調信号を生成し、第二の入力信号を振幅変調して振幅変調信号を生成し、その位相変調信号と振幅変調信号とを乗算している。そして、その乗算にて得られた信号が単一のチャネルにて送信される。受信側の無線通信装置では、受信信号を同期検波することにより前記第一の入力信号に対応した第一の出力信号を取得し、前記受信信号を包絡線検波することにより前記第二の入力信号に対応した第二の出力信号を取得している。このような従来の無線通信装置によれば、単一のチャネルにて２つのデータ列の送受信がなされるので、情報の伝送効率を向上させることができるようになる。
しかしながら、この従来の無線通信装置では、２種類のデータ列しか同時送受信ができず、情報の伝送効率の向上にも限界がある。また、２種類の変調方式とそれに対応した２種類の復調方式（検波方式）を採用しなければならず、その構成が比較的複雑となっていた。
また、近年、無線通信装置間では映像伝送が可能となっているが、映像を送受信する場合は、データ量が多くしかも圧縮や解凍を必要とすることから、送信速度が非常に遅くなっていた。そして、無線通信装置上では映像を画面表示させるのに相当の時間を要していた。このため、映像の高速伝送を可能とすることが、通信業界における一つの課題となっていた。
本発明は、このような事情に鑑みてなされたもので、より簡単な構成にて情報の伝送効率を更に向上させることができ、しかも映像の高速通信を可能とする無線通信装置及び無線通信方法を提供することを目的とする。
【発明の開示】
このような課題を解決するため、本発明に係る無線通信装置は、複数のクロックを発生するクロック発生手段と、送信すべき複数の伝送信号を入力し、複数のクロックのそれぞれに基づいて規定される送信チャネル群の中から使用する送信チャネルをそれぞれ設定し、これら設定した送信チャネルに対応付けられた各伝送信号のそれぞれを含む複数のデータ信号を生成するデータ信号生成手段と、このデータ信号生成手段にて生成された複数のデータ信号を多重化して送信信号を生成する多重化手段と、この多重化手段にて得られた送信信号を無線送出する信号送信手段とを有する構成となる。
このような構成により、複数のクロックのそれぞれにて規定される送信チャネル群から設定された複数の送信チャネルを用いて複数又は複数種類の伝送信号を多重化送信することができるようになる。つまり、複数の信号を同時に送ることができる。このため、比較的簡単な構成にて、情報の伝送効率を更に向上でき、ひいては、高速通信を実現できる。
しかも、例えば、一台の携帯電話機で、音声による通話を行ないながらこれに接続したパソコンによる完全動画等のデータ通信を同時に行なうことができるなど、種々の利用態様を実現できるようになる。また、限られた使用周波数帯での加入携帯電話機を増やすことができることにもなり、極めて有用になる。
また、本発明に係る無線通信装置は、クロック発生手段が、複数のクロックを個別に発生する複数のクロック発振器を有する構成とすることができる。
クロック発生手段は、単一の発振器から出力されるクロックから分周等の手法を用いて複数のクロックを生成するようにしてもよい。
さらに、本発明に係る無線通信装置は、取り込まれた映像にもとづく映像信号を出力する映像受入手段と、映像信号を分割する映像分割手段とを有し、データ信号生成手段が、分割された映像信号を映像データとして入力し、複数のクロックのそれぞれに基づいて規定される送信チャネル群の中から使用する送信チャネルをそれぞれ設定し、これら設定した送信チャネルに対応付けられた各映像データのそれぞれを含む複数のデータ信号を生成する構成となる。
このような構成により、複数のクロックのそれぞれにて規定される送信チャネル群から設定された複数の送信チャネルを用いて分割後の複数の映像データを多重化送信することができるようになる。これにより、複数の映像データを同時並行して送信できるようになるため、映像の高速通信が可能となる。
しかも、映像データの高速通信が多重化送信により実現できることから、圧縮や解凍を行う必要性が低くなる。したがって、圧縮や解凍に要していた時間を削減でき、これによっても映像をより高速に伝送できる。
本発明に係る無線通信装置は、複数のクロックを発生するクロック発生手段と、無線送信されてきた信号を受信し、受信信号を出力する信号受信手段と、受信信号から複数のデータ信号を分離する信号分離手段と、信号分離手段にて得られた複数のデータ信号のそれぞれに対して、複数のクロックのそれぞれにより規定される受信チャネル群のうちの使用する受信チャネルを対応付けるチャネル対応付け手段と、複数のクロックに基づいて、使用する受信チャネルに対応付けられたデータ信号から伝送信号を分離する伝送信号抽出手段とを有する構成となる。
このような構成により、多重化された複数の受信チャネルを含む受信信号から各受信チャネルに対応した伝送信号を抽出できるようになる。
また、本発明に係る無線通信装置は、伝送信号抽出手段にて得られた伝送信号から映像データを生成する映像生成手段と、複数の映像データを合成して映像信号を得る映像合成手段とを有する構成となる。
このような構成により、抽出された伝送信号から映像データを生成し、複数の映像データを合成して映像信号を得ることができる。このため、多重化された映像データを無線通信装置で受信可能となるため、無線通信装置間での映像の高速伝送を実現できる。
本発明に係る無線通信装置は、複数のクロックを発生するクロック発生手段と、送信すべき複数の伝送信号を入力し、複数のクロックのそれぞれに基づいて規定される送信チャネル群の中から使用する送信チャネルをそれぞれ設定し、これら設定した送信チャネルに対応付けられた各伝送信号のそれぞれを含む複数のデータ信号を生成するデータ信号生成手段と、このデータ信号生成手段にて生成された複数のデータ信号を多重化して送信信号を生成する多重化手段と、多重化手段にて得られた送信信号を無線送出する信号送信手段と、無線送信されてきた信号を受信し、受信信号を出力する信号受信手段と、受信信号から複数のデータ信号を分離する信号分離手段と、信号分離手段にて得られた複数のデータ信号のそれぞれに対して、複数のクロックのそれぞれにより規定される受信チャネル群のうちの使用する受信チャネルを対応付けるチャネル対応付け手段と、複数のクロックに基づいて、使用する受信チャネルに対応付けられたデータ信号から伝送信号を分離する伝送信号抽出手段とを有する構成となる。
このような構成により、複数のクロックのそれぞれにて規定される送信チャネル群から設定された複数の送信チャネルを用いて複数種類の伝送信号を多重化送信すると共に、多重化された複数の受信チャネルを含む受信信号から各受信チャネルに対応した伝送信号を抽出する無線通信装置を実現することが可能となる。
また、本発明に係る無線通信装置は、映像を取り込んで映像信号を出力する映像受入手段と、映像信号を分割する映像分割手段とを有し、データ信号生成手段が、分割された映像信号を映像データとして入力し、複数のクロックのそれぞれに基づいて規定される送信チャネル群の中から使用する送信チャネルをそれぞれ設定し、これら設定した送信チャネルに対応付けられた各映像データのそれぞれを含む複数のデータ信号を生成し、無線通信装置が、伝送信号抽出手段にて得られた伝送信号から映像データを生成する映像生成手段と、複数の映像データを合成して映像信号を得る映像合成手段とを有する構成となる。
このような構成により、複数のクロックのそれぞれにて規定される送信チャネル群から設定された複数の送信チャネルを用いて分割後の複数の映像データを多重化送信すると共に、多重化された複数の受信チャネルを含む受信信号から各受信チャネルに対応した伝送信号を抽出し、この伝送信号から映像データを生成し、複数の映像データを合成して映像信号を得る無線通信装置を実現することが可能となる。したがって、映像データの多重化送受信を可能にして、高速通信の実現を図ることができる。
本発明に係る無線通信方法は、複数のクロック発生手段で発生した各クロックに基づいて規定される送信チャネル群の中から使用する送信チャネルをそれぞれ設定し、設定した送信チャネルに対応付けられた各伝送信号のそれぞれを含む複数のデータ信号を生成し、複数のデータ信号を多重化して送信信号を生成し、送信信号を無線送出する方法としてある。
また、本発明に係る無線通信方法は、取り込まれた映像にもとづく映像信号を出力し、映像信号を分割し、分割された映像信号を映像データとして入力し、複数のクロック発生手段で発生した各クロックに基づいて規定される送信チャネル群の中から使用する送信チャネルを設定し、設定した送信チャネルに対応付けられた各映像データのそれぞれを含む複数のデータ信号を生成する方法としてある。
さらに、本発明に係る無線通信方法は、無線送信されてきた信号を受信して受信信号を生成し、受信信号から複数のデータ信号を分離し、複数のデータ信号のそれぞれに対して、複数のクロックのそれぞれにより規定される受信チャネル群のうちの使用する受信チャネルを対応付け、複数のクロックに基づいて、使用する受信チャネルに対応付けられたデータ信号から伝送信号を分離する方法としてある。
また、本発明の無線通信方法は、伝送信号抽出手段にて得られた伝送信号から映像データを生成し、複数の映像データを合成して映像信号を得るような方法としてある。
【図面の簡単な説明】  第１図は、本発明の第一の実施形態に係る無線通信装置の構成を示すブロック図である。
第２図は、第１図に示す無線通信装置の詳細構成を示すブロック図である。
第３図は、４つのクロックにて規定される受信チャネル群及び送信チャネル群を示す図である。
第４図は、本発明の第二の実施形態に係る無線通信装置の構成を示すブロック図である。
第５図は、第４図に示す無線通信装置の詳細構成を示すブロック図である。
第６図は、映像が分割され、４つのクロックにて規定されるチャネル群のうちの使用されるチャネルに対応付けられ、さらに合成される様子を示す図である。
第７図は、基地局に変換装置を備えて映像通信を実現する構成を示す図である。
第８図は、従来の無線通信装置を含む通信システムの一例を示す図である。
第９図は、第８図に示す無線通信装置にて用いられるクロックにて規定される受信チャネル群及び送信チャネル群を示す図である。
【発明を実施するための最良の形態】  以下、本発明の実施の形態について、図面を用いて説明する。
［第一実施形態］
本発明の第一の実施形態に係る無線通信装置は、第１図に示すように構成される。この無線通信装置は、例えば、携帯電話端末として構成されるものである。
第１図において、無線通信装置１０ａは、送信部１１、受信部１２、混合器１３、アンテナ１４、通信制御部２０、データ制御部２２、操作・表示部２３、スピーカ２４、マイクロフォン２５、クロック制御部３０及び４つの水晶発振器３１Ａ、３１Ｂ、３１Ｃ、３１Ｄを有している。
ここで、４つの水晶発振器３１Ａ、３１Ｂ、３１Ｃ及び３１Ｄは、それぞれ独自のクロックを生成し、そのクロックをクロック制御部３０に供給する。
クロック制御部３０は、所定のタイミングにてクロックＡ（水晶発振器３１Ａからのクロックに対応）、クロックＢ（水晶発振器３１Ｂからのクロックに対応）、クロックＣ（水晶発振器３１Ｃからのクロックに対応）及びクロックＤ（水晶発振器３１Ｄからのクロックに対応）の４つの基準クロックを通信制御部２０に供給する。
なお、本実施形態においては、４つの水晶発振器３１Ａ、３１Ｂ、３１Ｃ及び３１Ｄと、クロック制御部３０とを総称して「クロック発生手段」という。
送信部（信号送信手段）１１は、通信制御部２０からの多重化送信信号に対する所定の変調処理を行ない、その変調処理後の多重化送信信号を送出する。変調処理された多重化信号は、混合器１３を通してアンテナ１４から放射される。
受信部（信号受信手段）１２は、混合器１３からの受信信号を通信制御部２０へ送る。受信信号は、基地局２００（第８図参照）から放射された送信信号がアンテナ１４にて受信され、混合器１３を介して受信部１２へ供給された信号である。
データ制御部２２は、マイクロフォン２５からのユーザの発声音に対応した音声信号や、データ入出力マルチコネクタ２２ａを介するなどして外部から供給されたデータ信号（例えば、画像、文字等を表す）を通信制御部２０に供給する。
また、データ制御部２２は、通信制御部２０から供給される伝送信号に対する処理を行なう。例えば、通信制御部２０から供給される伝送信号が音声に係るものであれば、その伝送信号が音声信号に変換され、その音声信号がスピーカ２４に供給される。前記伝送信号がデータ（例えば、画像、文字等を表す）に係るものであれば、その伝送信号がデータ信号に変換され、あるいは、伝送信号としてそのまま操作・表示部２３又は外部へ供給される。
通信制御部２０は、クロック制御部３０からの４つのクロック、クロックＡ、クロックＢ、クロックＣ、クロックＤのそれぞれに基づいて規定される所定周波数間隔（例えば、１５ＫＨｚ〜２５ＫＨｚ）のチャネルのいずれかを使用すべきチャネルとして設定する。即ち、第３図に示すように、受信波（例えば８１０ＭＨｚ帯）については、クロックＡにより規定される受信チャネル群ＣＨＲＸ（Ａ）から実際に使用されるべき受信チャネルＣＨＲＸ（Ａｎ）が設定され、クロックＢにより規定される受信チャネル群ＣＨＲＸ（Ｂ）から実際に使用されるべき受信チャネルＣＨＲＸ（Ｂｎ）が設定され、クロックＣにより規定される受信チャネル群ＣＨＲＸ（Ｃ）から実際に使用されるべき受信チャネルＣＨＲＸ（Ｃｎ）が設定され、クロックＤにより規定される受信チャネル群ＣＨＲＸ（Ｄ）から実際に使用されるべき受信チャネルＣＨＲＸ（Ｄｎ）が設定される。また、送信波（例えば９４０ＭＨｚ帯）については、クロックＡにより規定される送信チャネル群ＣＨＴＸ（Ａ）から実際に使用されるべき送信チャネルＣＨＴＸ（Ａｎ）が設定され、クロックＢにより規定される送信チャネル群ＣＨＴＸ（Ｂ）から実際に使用されるべき送信チャネルＣＨＴＸ（Ｂｎ）が設定され、クロックＣにより規定される送信チャネル群ＣＨＴＸ（Ｃ）から実際に使用されるべき送信チャネルＣＨＴＸ（Ｃｎ）が設定され、クロックＤにより規定される送信チャネル群ＣＨＴＸ（Ｄ）から実際に使用されるべき送信チャネルＣＨＴＸ（Ｄｎ）が設定される。
この通信制御部２０は、例えば、第２図に示すように、データ分離／多重化部２０１、システムロジック２０２、データマトリックス２０３及び信号伝送処理部２０４を有している。
データ分離／多重化部（信号分離手段）２０１は、受信部１２からの受信信号から４つのデータ信号を分離させる。
システムロジック２０２は、データ分離／多重化部２０１からの４つのデータ信号のそれぞれの歪みを補正してデータマトリックス２０３に供給する。
データマトリックス（チャネル対応付け手段）２０３は、４つのデータ信号のそれぞれに対して、クロックＡ、クロックＢ、クロックＣ及びクロックＤのそれぞれにより規定される受信チャネル群ＣＨＲＸ（Ａ）、ＣＨＲＸ（Ｂ）、ＣＨＲＸ（Ｃ）、ＣＨＲＸ（Ｄ）のうちの使用する受信チャネルＣＨＲＸ（Ａｎ）、ＣＨＲＸ（Ｂｎ）、ＣＨＲＸ（Ｃｎ）、ＣＨＲＸ（Ｄｎ）を対応付ける（受信チャネルの設定）。
信号伝送処理部（伝送信号抽出手段）２０４は、受信チャネルＣＨＲＸ（Ａｎ）、ＣＨＲＸ（Ｂｎ）、ＣＨＲＸ（Ｃｎ）、ＣＨＲＸ（Ｄｎ）のそれぞれに対応付けられたデータ信号から、クロック制御部３０からのクロックＡ、クロックＢ、クロックＣ及びクロックＤに基づいて、伝送信号（例えば、音声信号など）を分離し、その伝送信号をデータ制御部２２に供給する。
また、信号伝送処理部２０４は、データ制御部２２からの送信すべき各伝送信号（例えば、音声信号など）を入力し、クロック制御部３０からのクロックＡ、クロックＢ、クロックＣ及びクロックＤに基づいて、４つの伝送信号を含むデータ信号を生成する。
データマトリックス２０３は、信号伝送処理部２０４からのデータ信号のそれぞれに対してクロックＡ、クロックＢ、クロックＣ及びクロックＤのそれぞれにより規定される送信チャネル群ＣＨＴＸ（Ａ）、ＣＨＴＸ（Ｂ）、ＣＨＴＸ（Ｃ）、ＣＨＴＸ（Ｄ）のうちの使用する送信チャネルＣＨＴＸ（Ａｎ）、ＣＨＴＸ（Ｂｎ）、ＣＨＴＸ（Ｃｎ）、ＣＨＴＸ（Ｄｎ）を対応付ける（送信チャネルの設定）。
システムロジック２０２は、データマトリックス２０３により送信チャネルＣＨＴＸ（Ａｎ）、ＣＨＴＸ（Ｂｎ）、ＣＨＴＸ（Ｃｎ）、ＣＨＴＸ（Ｄｎ）の対応付けのなされた各データ信号に対して波形調整等の処理を行ない、その各データ信号をデータ分離／多重化部２０１に供給する。
データ分離／多重化部（多重化手段）２０１は、供給された各データ信号を多重化し送信信号を生成して、送信部１１に供給する。このため、データ分離／多重化部２０１で生成される送信信号は、データマトリックス２０３により送信チャネルＣＨＴＸ（Ａｎ）、ＣＨＴＸ（Ｂｎ）、ＣＨＴＸ（Ｃｎ）、ＣＨＴＸ（Ｄｎ）の対応付けのなされた各データ信号が４つ複合（あるいは、４つ混合）されたものである。
このデータ分離／多重化部２０１においては、従来よりもゲートの数がプラス（増設）されている。従来の携帯端末１００は、水晶発振器１６が一つのみ設けられており、かつＡバンドのみであった。これに対し、本発明の無線通信装置１０は、水晶発振器３１が複数（本実施形態においては、４つ）設けられており、かつ複数のバンド（本実施形態においては、Ａバンド〜Ｄバンド（４系統））を使用することとしている。
なお、データ分離／多重化部２０１に設けられるゲートのそれぞれは、例えば、日本国特開平１１−３１７７７５号公報の「組合せデータ／クロック信号を送信する装置」に記載のゲートを用いることにより実現可能である。
送信部１１は、データ分離／多重化部２０１から供給されてきた送信信号の送信処理を行なう。
このような無線通信装置（例えば、携帯電話機等）では、音声信号、画像データ、テキストデータをそれぞれ４つのクロックＡ、Ｂ、Ｃ、Ｄにて規定されるチャネル群（送信チャネル群、受信チャネル群）から設定された使用するチャネル（送信チャネル、受信チャネル）を用いて同時に送受信できるようになる。４つのクロックにて規定されるチャネル群を利用することから、単一のクロックにて規定されるチャネル群に設定されるチャネルにて信号の送信を行なう従来の無線通信装置に比べてより多くの情報を同時に送受信できるようになる。更に、このような無線通信装置を利用した通信システムでは、災害時などの通話が混雑する場合においても、割り込めるチャネルの数が多くなることから、輻輳に耐性も向上する。また、現行の電波帯を拡張することなく、通信回線数を増加させることができる。
なお、前述した例では、４つのクロックを用いるようにしているが、チャネルを規定するためのクロックの数は２以上であれば特に限定されない。
また、本実施形態においては、「送信すべき複数の伝送信号を入力し、複数のクロックのそれぞれに基づいて規定される送信チャネル群の中から使用する送信チャネルをそれぞれ設定し、これら設定した送信チャネルに対応付けられた各伝送信号のそれぞれを含む複数のデータ信号を生成する」処理が、データマトリックス２０３及び信号伝送処理部２０４において行われることから、これらデータマトリックス２０３及び信号伝送処理部２０４を総称して「データ信号生成手段」という。
［第二実施形態］
次に、本発明の無線通信装置及び無線通信方法の第二の実施形態について、第４図を参照して説明する。
同図は、本実施形態の無線通信装置の構成を示すブロック図である。
本実施形態は、第一実施形態と比較して、音声信号等に加え、映像信号を分割・多重化して送受信可能とした点が相違する。すなわち、第一実施形態では、主に音声信号等を多重化通信の対象としていたのに対し、本実施形態では、映像信号を含む複数種類の信号を多重化通信の対象とし、その映像信号については、所定数に分割し、この分割後の複数の映像データを複数のクロックのそれぞれに基づいて規定されるチャネル群のうちの使用するチャネルに対応付けて送受信することを可能にした点が相違する。他の構成要素は第一実施形態と同様である。
したがって、第４図において、第１図と同様の構成部分については同一の符号を付して、その詳細な説明を省略する。
第４図に示すように、無線通信装置１０ｂは、送信部１１、受信部１２、混合器１３、アンテナ１４、通信制御部２０、データ制御部２２、操作・表示部２３、スピーカ２４、マイクロフォン２５、撮像部２６、クロック制御部３０及び４つの水晶発振器３１Ａ、３１Ｂ、３１Ｃ、３１Ｄを有している。
ここで、撮像部（映像信号入出力部）２６は、映像を撮影する手段であって、例えば、ＣＣＤカメラなどを用いることができる。この撮像部２６で取り込まれた映像は映像信号としてデータ制御部２２へ送られる。なお、撮像部２６は、さらに他の装置（映像を撮影，加工，編集等する機能を有した装置）から映像信号を受けることもできる。
データ制御部２２は、マイクロフォン２５からのユーザの発声音に対応した音声信号、外部から供給される（供給経路は図示略）データ信号（例えば、画像、文字等を表す）、撮像部２６からの映像信号を、それぞれ通信制御部２０に供給する。また、データ制御部２２は、通信制御部２０から供給される伝送信号に対する処理を行なう。例えば、通信制御部２０から供給される伝送信号が映像に係るものであれば、その伝送信号が映像信号に変換・生成され、あるいは、伝送信号又は映像信号として操作・表示部２３あるいは外部（データ入出力マルチコネクタ２２ａを介するなどして）へ供給される。
データ入出力マルチコネクタ２２ａは、外部との間で映像信号のやりとりを行うためのインタフェイスであって、第５図に示すように、映像処理装置３００を接続することができる。この接続には、例えば、ＵＳＢ（Ｕｎｉｖｅｒｓａｌ  Ｓｅｒｉａｌ  Ｂｕｓ）などを用いることができる。
映像処理装置３００は、映像に関する機能（例えば、撮像、記録、加工（編集，分割，合成等）、表示、外部入出力（送信・受信）などの機能）を一又は二以上有した装置であって、例えば、パーソナルコンピュータ、デジタルカメラ、デジタルビデオ、ディスクプレーヤ・レコーダ（ＣＤ、ＭＤ、ＤＶＤ等）、ビデオデッキ、携帯電話、ＰＨＳ、ＰＤＡなどが含まれる。この映像処理装置３００とデータ制御部２２との間では、映像信号が送受信される。
なお、第５図においては、撮像部２６と映像処理装置３００とがそれぞれ記載してあるが、データ制御部２２は、それら撮像部２６又は映像処理装置３００のうちの一方又は双方から映像信号を受け取ることができる。
また、本実施形態において、撮像部２６は、取り込んだ映像にもとづいて映像信号を出力することから「映像受入手段」としての機能を有している。ただし、データ入出力マルチコネクタ２２ａも、外部装置（映像処理装置３００）から映像を取り込んで映像信号を出力することから、「映像受入手段」に含めることができる。
また、データ制御部２２は、第５図に示すように、映像記憶部２２１と、映像分割部２２２と、形式変換部２２３と、映像生成部２２４と、映像合成部２２５と、操作・表示制御部２２６とを有している。
映像記憶部２２１は、撮像部２６又は映像処理装置３００から送られてきた映像信号、映像分割部２２２で分割処理された映像信号（映像データ）、通信制御部２０の信号伝送処理部２０４から送られてきた伝送信号（映像信号）、映像生成部２２４で生成された映像データ、映像合成部２２３で合成された映像信号などを記憶する。また、それらの他、音声信号やテキストデータなどを記憶することもできる。
映像分割部（映像分割手段）２２２は、撮像部２６又は映像処理装置３００から送られてきた映像信号（あるいは、映像記憶部２２１から取り出した映像信号）を分割する（第６図（ａ））。映像信号を分割する技術としては、従来公知の任意好適な技術を用いることができる。分割数は特に限定されず、任意の数とすることができる。ただし、クロック発生手段（クロック制御部３０及び水晶発振器３１Ａ〜３１Ｄ）から発生するクロックの数と同数又はそれよりも少ない数とすることができる。この映像分割部２２２で分割された映像信号のそれぞれ（映像データ）は、映像記憶部２２１へ送って記憶させることができる。
形式変換部２２３は、分割処理後の映像データを所定の形式に変換する。この変換された映像データは、通信制御部２０の信号伝送処理部２０４へ送られる。
映像生成部（映像生成手段）２２４は、信号伝送処理部２０４から送られてきた伝送信号から映像データを生成する。
映像合成部（映像合成手段）２２５は、映像生成部２２４で生成された複数の映像データを合成する（第６図（ｃ））。この合成された映像データ（映像信号）は、映像記憶部２２１へ送られて記憶される。なお、映像データを合成する技術としては、従来公知の任意好適な技術を用いることができる。
操作・表示制御部２２４は、映像記憶部２２１から映像信号を取り出し、操作・表示部２３へ送って画面表示させる。
通信制御部２０は、第５図に示すように、データ分離／多重化部２０１、システムロジック２０２、データマトリックス２０３及び信号伝送処理部２０４を有する。
信号伝送処理部２０４は、データ制御部２２からの送信すべき映像データを入力し、クロック制御部３０からのクロックＡ、クロックＢ、クロックＣ及びクロックＤに基づいて、４つの伝送信号を含むデータ信号を生成する（第６図（ｂ））。この生成されたデータ信号は、データマトリックス２０３へ送られる。
また、信号伝送処理部２０４は、受信チャネルＣＨＲＸ（Ａｎ）、ＣＨＲＸ（Ｂｎ）、ＣＨＲＸ（Ｃｎ）、ＣＨＲＸ（Ｄｎ）のそれぞれに対応付けられたデータ信号から、クロック制御部３０からのクロックＡ、クロックＢ、クロックＣ及びクロックＤに基づいて、伝送信号（映像データ）を分離し、その伝送信号をデータ制御部２２に供給する。
なお、データ分離／多重化部２０１、システムロジック２０２、データマトリックス２０３については、第一実施形態におけるデータ分離／多重化部２０１、システムロジック２０２、データマトリックス２０３のそれぞれと同様の動作・処理を実行するため、ここではそれらの説明を省略する。
無線通信装置をこのような構成とすることにより、映像信号を分割し、この分割後の映像データをそれぞれ４つのクロックＡ、Ｂ、Ｃ、Ｄにて規定されるチャネル群（送信チャネル群、受信チャネル群）から設定された使用するチャネル（送信チャネル、受信チャネル）を用いて同時に送受信できるようになる。４つのクロックにて規定されるチャネル群を利用することから、単一のクロックにて規定されるチャネル群に設定されるチャネルにて信号の送信を行なう従来の無線通信装置に比べてより多くの情報を同時に送受信できるようになる。このため、映像についても多重化通信が可能となるため、映像の高速通信を実現できる。
更に、このような無線通信装置を利用した通信システムでは、災害時などの通話が混雑する場合においても、割り込めるチャネルの数が多くなることから、輻輳に耐性も向上する。また、現行の電波帯を拡張することなく、通信回線数を増加させることができる。
なお、本実施形態においては、映像信号を分割・多重化して無線通信装置での送受信を可能としているが、例えば、水晶発振器３１が４つ備えられている場合、ＡバンドとＢバンドとは映像の送受信用、Ｃバンドは音声の送受信用、Ｄバンドはパケット通信用というように、各バンドで異なる種類の信号を送受信させることもできる。
ところで、映像の送信側が本発明の無線通信装置であって受信側が従来の携帯端末である場合、受信側は、自己の有するクロック（例えば、クロックＡ）と同じクロックに基づいて規定される送信チャネル群のうちの使用する送信チャネルに対応付けられた伝送信号を含む送信信号しか受信することができない。具体的には、例えば、第７図に示すように、受信側（携帯端末１０−Ｘ）がクロックＡを有する場合において、送信側（無線通信装置１０−１，１０−２，１０−３）からはクロックＢ，クロックＣ，クロックＤのそれぞれに基づいて規定される送信チャネル群のうちの使用する送信チャネルに対応付けられた複数の伝送信号を含む送信信号が送信されてきたときは、受信側はそれら送信されてきた送信信号を受信することができないことになる。
このように、本発明の無線通信装置と従来の携帯端末とが混在して使用される場合は、第７図に示すように、送信されてきた信号を従来の携帯端末の有するクロックに変換する変換装置２１０を基地局２００に設けることができる。
より具体的には、例えば、Ａデータチャネルからオーバーフローした信号（音声信号あるいはデータ信号（動画を除く））がＢデータチャネルで送信されてきた場合、基地局２００では、ＢチャネルにＡクロックを混合してＡデータ＋Ａクロックとするようなクロック変更が行われる。
このような構成とすれば、送信側からの送信信号がクロックＢ，クロックＣ，クロックＤのそれぞれに基づいて規定される送信チャネル群のうちの使用する送信チャネルに対応付けられた複数の伝送信号を含むものであっても、受信側はその送信信号を受信することができる。
【産業上の利用可能性】  本発明は、データ通信の伝送効率の向上、高速通信の実現を図るための技術であるため、通信分野における利用が可能である。
【図１】
2004068755.tif 000003
【図２】
2004068755.tif 000004
【図３】
2004068755.tif 000005
【図４】
2004068755.tif 000006
【図５】
2004068755.tif 000007
【図６】
2004068755.tif 000008
【図７】
2004068755.tif 000009
【図８】
2004068755.tif 000010
【図９】
2004068755.tif 000011
【手続補正書】
【提出日】平成16年7月26日(2004.7.26)
【手続補正００１】
【補正対象書類名】特許請求の範囲
【補正対象項目名】特許請求の範囲
【補正方法】変更
【補正の内容】
【特許請求の範囲】
【請求項１】
（補正後）複数のクロックを発生するクロック発生手段と、
送信すべき複数の伝送信号を入力し、前記複数のクロックのそれぞれに基づいて規定される送信チャネル群の中から使用する送信チャネルをそれぞれ設定し、これら設定した送信チャネルに対応付けられた各前記伝送信号のそれぞれを含む複数のデータ信号を生成するデータ信号生成手段と、
このデータ信号生成手段にて生成された複数のデータ信号を多重化して送信信号を生成する多重化手段と、
この多重化手段にて多重化された送信信号に対し変調処理を行って無線送出する信号送信手段とを有する
ことを特徴とする無線通信装置。
【請求項２】
前記クロック発生手段は、複数のクロックを個別に発生する複数のクロック発振器を有する
ことを特徴とする請求項１記載の無線通信装置。
【請求項３】
取り込まれた映像にもとづく映像信号を出力する映像受入手段と、
前記映像信号を分割する映像分割手段とを有し、
前記データ信号生成手段が、前記分割された映像信号を映像データとして入力し、前記複数のクロックのそれぞれに基づいて規定される送信チャネル群の中から使用する送信チャネルをそれぞれ設定し、これら設定した送信チャネルに対応付けられた各前記映像データのそれぞれを含む複数のデータ信号を生成する
ことを特徴とする請求項２記載の無線通信装置。
【請求項４】
（補正後）複数のクロックを発生するクロック発生手段と、
無線送信されてきた信号を受信し、受信信号を出力する信号受信手段と、
前記受信信号から複数のデータ信号を分離する信号分離手段と、
前記信号分離手段にて得られた複数のデータ信号のそれぞれに対して、前記複数のクロックのそれぞれにより規定される受信チャネル群のうちの使用する受信チャネルを対応付けるチャネル対応付け手段と、
前記複数のクロックに基づいて、前記使用する受信チャネルに対応付けられたデータ信号から伝送信号を分離する伝送信号抽出手段とを有する
ことを特徴とする請求項１記載の無線通信装置。
【請求項５】
前記伝送信号抽出手段にて得られた前記伝送信号から映像データを生成する映像生成手段と、
複数の前記映像データを合成して映像信号を得る映像合成手段とを有する
ことを特徴とする請求項４記載の無線通信装置。
【請求項６】
（補正後）複数のクロックを発生するクロック発生手段と、
送信すべき複数の伝送信号を入力し、前記複数のクロックのそれぞれに基づいて規定される送信チャネル群の中から使用する送信チャネルをそれぞれ設定し、これら設定した送信チャネルに対応付けられた各前記伝送信号のそれぞれを含む複数のデータ信号を生成するデータ信号生成手段と、
このデータ信号生成手段にて生成された複数のデータ信号を多重化して送信信号を生成する多重化手段と、
この多重化手段にて多重化された送信信号に対し変調処理を行って無線送出する信号送信手段と、
無線送信されてきた信号を受信し、受信信号を出力する信号受信手段と、
前記受信信号から複数のデータ信号を分離する信号分離手段と、
この信号分離手段にて得られた複数のデータ信号のそれぞれに対して、前記複数のクロックのそれぞれにより規定される受信チャネル群のうちの使用する受信チャネルを対応付けるチャネル対応付け手段と、
前記複数のクロックに基づいて、前記使用する受信チャネルに対応付けられたデータ信号から伝送信号を分離する伝送信号抽出手段とを有する
ことを特徴とする無線通信装置。
【請求項７】
映像を取り込んで映像信号を出力する映像受入手段と、
前記映像信号を分割する映像分割手段とを有し、
前記データ信号生成手段が、前記分割された映像信号を映像データとして入力し、前記複数のクロックのそれぞれに基づいて規定される送信チャネル群の中から使用する送信チャネルをそれぞれ設定し、これら設定した送信チャネルに対応付けられた各前記映像データのそれぞれを含む複数のデータ信号を生成し、
前記無線通信装置が、前記伝送信号抽出手段にて得られた前記伝送信号から映像データを生成する映像生成手段と、
複数の前記映像データを合成して映像信号を得る映像合成手段とを有する
ことを特徴とする請求項６記載の無線通信装置。
【請求項８】
（補正後）複数のクロック発生手段で発生した各クロックに基づいて規定される送信チャネル群の中から使用する送信チャネルをそれぞれ設定し、
前記設定した送信チャネルに対応付けられた各伝送信号のそれぞれを含む複数のデータ信号を生成し、
前記複数のデータ信号を多重化して送信信号を生成し、
前記多重化された送信信号に対し変調処理を行って無線送出する
ことを特徴とする無線通信方法。
【請求項９】
取り込まれた映像にもとづく映像信号を出力し、
前記映像信号を分割し、
前記分割された映像信号を映像データとして入力し、前記複数のクロック発生手段で発生した各クロックに基づいて規定される送信チャネル群の中から使用する送信チャネルを設定し、
前記設定した送信チャネルに対応付けられた各前記映像データのそれぞれを含む複数のデータ信号を生成する
ことを特徴とする請求項８記載の無線通信方法。
【請求項１０】
（補正後）無線送信されてきた信号を受信して受信信号を生成し、
前記受信信号から複数のデータ信号を分離し、
前記複数のデータ信号のそれぞれに対して、前記複数のクロックのそれぞれにより規定される受信チャネル群のうちの使用する受信チャネルを対応付け、
前記複数のクロックに基づいて、前記使用する受信チャネルに対応付けられたデータ信号から伝送信号を分離する
ことを特徴とする請求項８記載の無線通信方法。
【請求項１１】
前記伝送信号抽出手段にて得られた前記伝送信号から映像データを生成し、
複数の前記映像データを合成して映像信号を得る
ことを特徴とする請求項１０記載の無線通信方法。
【国際調査報告】
2004068755.tif 000012
2004068755.tif 000013
2004068755.tif 000014
2004068755.tif 000015